(57)【要約】【課題】  カッタディスクやガイド板に付着する粘着物の付着量を少なくすることができるようにする。【解決手段】  所定間隔を存して平行に配列される複数枚のカッタディスク８…を有してなる一対のカッタブロックを備え、この一対のカッタブロックのカッタディスクを互いに異なる方向に回転させて紙葉類を裁断する裁断手段と、前記複数枚のカッタディスク８…間に配設され、前記カッタディスク８により裁断される裁断片１２を所定方向にガイドするガイド板１４と、このガイド板１４の前記カッタディスク８との対向面側に設けられ、前記紙葉類の裁断動作に伴なって前記カッタディスク８或いはガイド板１４に付着する粘着物を外部に逃がす溝とを具備する。【選択図】      図３
2005254070.tif 000002
【特許請求の範囲】
【請求項１】
所定間隔を存して平行に配列される複数枚の裁断刃を有してなる一対の裁断ブロックを備え、この一対の裁断ブロックの裁断刃を互いに異なる方向に回転させて紙葉類を裁断する裁断手段と、
前記複数枚の裁断刃間に配設され、前記裁断刃により裁断される裁断片を所定方向にガイドするガイド体と、
このガイド体の前記裁断刃との対向面側に設けられ、前記紙葉類の裁断動作に伴なって前記裁断刃或いはガイド体に付着する粘着物を外部に逃がす逃がし部と、
を具備することを特徴とする紙葉類裁断装置。
【請求項２】
前記逃がし部は、前記ガイド体に形成された断面凹状の溝であることを特徴とする請求項１記載の紙葉類裁断装置。
【請求項３】
前記ガイド体は回動自在に設けられたことを特徴とする請求項１記載の紙葉類裁断装置。
【請求項４】
所定間隔を存して平行に配列される複数枚の裁断刃を有してなる一対の裁断ブロックを備え、この一対の裁断ブロックの裁断刃を互いに異なる方向に回転させて紙葉類を裁断する裁断手段と、
前記複数枚の裁断刃間に配設され、前記裁断刃により裁断される裁断片を所定方向にガイドするガイド体と、
このガイド体の前記裁断刃との対向面側に設けられ、前記紙葉類の裁断動作に伴なって前記裁断刃或いはガイド体に付着する粘着物を外部に逃がす逃がし部と、
前記裁断刃を前記紙葉類の裁断動作に先立ち予熱する予熱手段と、
を具備することを特徴とする紙葉類裁断装置。
【請求項５】
前記予熱手段は温風ヒータであることを特徴とする請求項４記載の紙葉類裁断装置。
【発明の詳細な説明】
【技術分野】
【０００１】
本発明は、例えば、有価証券などの紙葉類を細かく裁断する紙葉類裁断装置に関する。
【背景技術】
【０００２】
この種の紙葉類裁断装置には、所定間隔を存して平行に配列される複数枚の裁断刃を有してなる一対の裁断ブロックを備え、この一対の裁断ブロックの裁断刃を互いに異なる方向に回転させて紙葉類を裁断するものがある。
【０００３】
また、複数枚の裁断刃間にはそれぞれガイド体が介在され、これらガイド体により裁断片を収容箱にガイドして収容するようになっている（例えば、特許文献１参照。）。
【特許文献１】特開２００２−１９２００２号公報
【発明の開示】
【発明が解決しようとする課題】
【０００４】
しかしながら、裁断される紙葉類には粘着テープ等の粘着物が付着していることが多々ある。このような場合、粘着物が裁断刃やガイド板に付着し、次第に裁断刃の回転に大きな負荷トルクを与えるようになる。このため、裁断刃やガイド板を頻繁に清掃しなければならず、手間取るという不都合がある。
【０００５】
また、裁断装置を停止して一旦、装置が冷えた状態になったのち、再度運転を開始した場合には、粘着物が固着状態になっていることから、非常に大きな負荷トルクとなる。これにより回転中あるいは回転開始時に裁断刃が期待通りに回転せず、裁断機能が低下するという不都合があった。
【０００６】
本発明は上記事情に着目してなされたもので、その目的とするところは、裁断刃やガイド板に付着する粘着物の付着量を少なくするとともに、粘着物を固着させないようにした紙葉類裁断装置を提供することにある。
【課題を解決するための手段】
【０００７】
上記課題を解決するため、請求項１記載のものは、所定間隔を存して平行に配列される複数枚の裁断刃を有してなる一対の裁断ブロックを備え、この一対の裁断ブロックの裁断刃を互いに異なる方向に回転させて紙葉類を裁断する裁断手段と、前記複数枚の裁断刃間に配設され、前記裁断刃により裁断される裁断片を所定方向にガイドするガイド体と、このガイド体の前記裁断刃との対向面側に設けられ、前記紙葉類の裁断動作に伴なって前記裁断刃或いはガイド体に付着する粘着物を外部に逃がす逃がし部とを具備する。
【０００８】
請求項４記載のものは、所定間隔を存して平行に配列される複数枚の裁断刃を有してなる一対の裁断ブロックを備え、この一対の裁断ブロックの裁断刃を互いに異なる方向に回転させて紙葉類を裁断する裁断手段と、前記複数枚の裁断刃間に配設され、前記裁断刃により裁断される裁断片を所定方向にガイドするガイド体と、このガイド体の前記裁断刃との対向面側に設けられ、前記紙葉類の裁断動作に伴なって前記裁断刃或いはガイド体に付着する粘着物を外部に逃がす逃がし部と、前記裁断刃を前記紙葉類の裁断動作に先立ち予熱する予熱手段とを具備する。
【発明の効果】
【０００９】
本発明は、ガイド体に粘着物を逃がすための逃がし部を設けるため、粘着物が裁断刃とガイド体との間の隙間に残って固着することを軽減することができる。従って、裁断刃にかかる負荷トルクが軽減され、動作が安定するとともに、保守による清掃の頻度を軽減させることができる。
【００１０】
また、裁断刃をその裁断動作に先立って予熱手段により予熱するため、裁断刃とガイド体との間の隙間に残留する固着物を軟化させることができ、始動トルクを軽減することができるという効果を奏する。
【発明を実施するための最良の形態】
【００１１】
以下、本発明を図面に示す実施の形態を参照して詳細に説明する。  
図１は本発明の一実施の形態である紙葉類の裁断装置を示す斜視図で、図２はその正面図である。
【００１２】
裁断装置１は、上面及び底面が開口される筐体１ａを有し、この筐体１ａ内には、対向配置される一対の裁断ブロックとしてのカッタブロック（裁断手段）３、４を備えている。一対のカッタブロック３、４は各々異なる方向に回転して紙葉類２を裁断するようになっている。筐体１ａの上部側には一対のカッタブロック３，４に温風を吹付けるための予熱手段としての一対の温風ヒータ９，１０が配設されている。筐体１ａの下部側には、ダクト１１を介して裁断片１２を収容する収容箱１３が設けられている。
【００１３】
カッタブロック３、４の回転中心には、回転駆動機構（図示せず）からの回転力をカッタブロック３、４に伝達するためのシャフト５、６が各々設けられている。シャフト５、６には、図３にも示すような裁断刃としての複数枚のカッタディスク８が軸支されている。カッタディスク８の周縁部には刃部７が形成されている。
【００１４】
シャフト５、６は、例えば六角柱等の多角形状に形成されており、シャフト５、６が回転すると、カッタディスク８は一体となって回転する。また、カッタディスク８は、シャフト５、６との軸方向において摺動可能に組み込まれている。
【００１５】
さらに、裁断装置１は、互いに異なる方向に回転するカッタディスク８の刃部７どうしが交互に配置され、且つこの交互に配置された刃部７どうしの回転軌跡が交差するように、各カッタブロック３、４が配設されている。これにより紙葉類２に対する、いわゆる縦切りが実現可能となる。
【００１６】
また、裁断装置１には、裁断対象の紙葉類２の装置内部への送り込みや、刃部７によって裁断された裁断片１２を収容箱１３へ案内するためのガイド体としてのガイド板１４が設けられている。
【００１７】
なお、裁断片１２がカッタディスク８の回転により巻き上げられることを防止するために、紙葉類２の装置内部への取込側（上方）から空気が送り込まれており、この気流によって裁断片１２の収容箱１３への収容がサポートされている。
【００１８】
また、ガイド板１４は、装置内部への紙葉類２の取込部分に形成された裁断ガイド部１４ａが、各カッタブロック３、４のカッタディスク８間に介在された状態、すなわち一方のカッタブロックの刃部７と対向するように他方のカッタブロックに設けられている。
【００１９】
なお、裁断装置１は、刃部７と紙葉類２との間に過大な摩擦が生じ裁断抵抗が増大した場合、すなわち互いに逆回転するカッタブロック３、４の回転負荷が一定の負荷以上になった場合、リミッタとして設けられている過負荷保護装置が作動し、裁断装置１の稼動が停止するように構成されている。
【００２０】
図４は、ガイド板１４を示す斜視図である。  
ガイド板１４のカッタディスク８との対向面側には逃がし部としての断面凹状の溝１５…が複数形成されている。ガイド板１４の中央部には円形状の開口部１４ａが形成され、溝１５…は開口部１４ａの内縁部からガイド板１４の外縁部に向かって形成されている。
【００２１】
上記した構成において、紙葉類２を裁断する場合には、予め、温風ヒータ９，１０により温風を一対のカッタブロック３，４に吹付けて予熱しておく。この予熱後、裁断装置１にその上部側から紙葉類２を投入する。この投入された紙葉類２は、回転する一対のカッタブロック３，４間に送込まれて裁断され、その裁断片１２はガイド板１４によってダクト１１に向かってガイドされ、ダクト１１を介して収容箱１３内に収容される。
【００２２】
ところで、この裁断される紙葉類２には、粘着テープなどの粘着物１２ｂが付着していることがある。この粘着物１２ｂは裁断動作に伴なってカッタディスク８やガイド板１４に付着し、図５に示すよいにカッタディスク８とガイド板１４との間の隙間Ｓで固着しようとする。
【００２３】
しかしながら、ガイド板１４の板面には、上記したように複数の溝１５を形成しているため、粘着物１２ｂはカッタディスク８の回転によりその回転方向に移動され、ガイド板１４の溝１５内に落とし込まれ、この溝１５に沿って外部へと逃がされる。
【００２４】
従って、カッタディスク８とガイド板１４との間の隙間Ｓで粘着物１２ｂが固着してしまうことを軽減でき、カッタディスク８にかかる負荷トルクを軽減できる。よって、裁断動作が安定するとともに、保守による清掃の頻度も軽減することができる。
【００２５】
また、紙葉類２の裁断に先立ち、温風ヒータ９，１０により、一対のカッタブロック３，４に温風を吹付けて予熱しておくため、カッタディスク８とガイド板１４との間の隙間Ｓで粘着物１２ｂが固着する場合でも、粘着物１２ｂを軟化させることができ、始動トルクを軽減することができる。
【００２６】
なお、本発明は上記一実施の形態に限られることなく、カッタディスク８に対し、クリーニング用のロール紙を自動で供給してクリーニングするようにしても良い。これによれば、徐々に増加する負荷トルクを再び軽減することができ、保守清掃の頻度を軽減させることができる。
【００２７】
また、カッタディスク８とガイド板１４とを互いに接離する方向に移動自在に設け、両者間の隙間Ｓを調節可能に構成するようにしても良い。これによれば、カッタディスク８とガイド板１４との間の隙間Ｓを大きくすることにより、カッタディスク８とガイド板１４との間に固着物が介在する場合であっても始動トルクを軽減することができる。
【００２８】
さらに、カッタディスク８にフライホィールを設けても良い。これによれば、瞬間的に大きな負荷変動が発生しても、その変動に対するカッタディスク自体への影響を軽減することができる。
【００２９】
また、ガイド板１４を回動自在に設け、定期的に所定角度ずつ回動させるようにしても良い。これによれば、ガイド板１４の摩耗箇所を移動させることができ、ガイド板１４の寿命を延ばすことができる。
【００３０】
なお、上記した各制御は、例えば、カッタディスク８の負荷変動を駆動モータに流れる電流値を測定して常時監視することにより行うことができる。
【００３１】
その他、本発明はその要旨の範囲内で種々変形実施可能なことは勿論のことである。
【図面の簡単な説明】
【００３２】
【図１】本発明の一実施の形態である紙葉類の裁断装置を示す斜視図。
【図２】図１の裁断装置を示す正面図。
【図３】同実施形態のカッタディスク及びガイド板を示す斜視図。
【図４】同実施形態のガイド板を示す斜視図。
【図５】同実施形態のカッタディスクとガイド板の一部を示す断面図。
【符号の説明】
【００３３】
３，４…一対の裁断ブロック（裁断手段）
８…カッタディスク（裁断刃）
９，１０…温風ヒータ（予熱手段）
１２ａ…裁断片
１２ｂ…粘着物
１４…ガイド板（ガイド体）
１５…溝（逃がし部）
【図１】
2005254070.tif 000003
【図２】
2005254070.tif 000004
【図３】
2005254070.tif 000005
【図４】
2005254070.tif 000006
【図５】
2005254070.tif 000007